(57)【要約】【課題】開口率の低下を最小化することのできる有機発光ディスプレイ装置を提供する。【解決手段】本発明の有機発光ディスプレイ装置は、複数の画素１１１、１２１を備え、各画素はそれぞれ赤色、緑色及び青色の光を放出する副画素１１１Ｒ、Ｇ、Ｂ、１２１Ｒ、Ｇ、Ｂを備え、各副画素は、第１電極と、第１電極に対向する第２電極と、第１電極と第２電極との間に介在した中間層とを備え、中間層に含まれる層のうち少なくとも一層は、一方向に隣接した二つの副画素１１１Ｒ、１１２Ｒにおいて、一体に形成されて一つの副画素グループ１１１２Ｒを形成し、一つの副画素グループ内における副画素間の間隔は、隣接した副画素グループ間の間隔よりも狭く形成されていることを特徴とする。【選択図】図３
2010262920.tif 000002
【特許請求の範囲】
【請求項１】
複数の画素を備え、前記各画素は、
第１電極と、
前記第１電極に対向する第２電極と、
前記第１電極と前記第２電極との間に介在し、少なくとも発光層を含む複数の層を備えた中間層とを備え、
前記中間層に含まれる層のうち少なくとも一層は、一方向に隣接した少なくとも二つの画素において、一体に形成されて一つの画素グループを形成し、
前記一つの画素グループ内における画素間の間隔は、隣接した前記画素グループ間の間隔よりも狭く形成されていることを特徴とする有機発光ディスプレイ装置。
【請求項２】
前記一方向に隣接した二つ、三つまたは四つの画素が一体に形成されて前記一つの画素グループを形成することを特徴とする請求項１に記載の有機発光ディスプレイ装置。
【請求項３】
前記一体に形成された層は、前記一方向に垂直な他方向にジグザグ形状となるように配置されることを特徴とする請求項１または請求項２に記載の有機発光ディスプレイ装置。
【請求項４】
前記一体に形成された層は、発光層であることを特徴とする請求項１乃至請求項３のいずれか１項に記載の有機発光ディスプレイ装置。
【請求項５】
複数の画素を備え、前記各画素は、それぞれ赤色、緑色及び青色の光を放出する副画素を備え、前記副画素は一方向に沿って同じ色の光を排出するように配置され、前記各副画素は、
第１電極と、
前記第１電極に対向する第２電極と、
前記第１電極と前記第２電極との間に介在し、少なくとも発光層を含む複数の層を備えた中間層とを備え、
前記中間層に含まれる層のうち少なくとも一層は、前記一方向に隣接した少なくとも二つの副画素において、一体に形成されて一つの副画素グループを形成し、
前記一つの副画素グループ内における副画素間の間隔は、隣接した前記副画素グループ間の間隔よりも狭く形成されていることを特徴とする有機発光ディスプレイ装置。
【請求項６】
前記一方向に隣接した二つ、三つまたは四つの副画素が一体に形成されて前記一つの副画素グループを形成することを特徴とする請求項５に記載の有機発光ディスプレイ装置。
【請求項７】
前記一体に形成された層は、同じ色の光を放出する副画素において、前記一方向に垂直な他方向にジグザグ形状となるように配置されることを特徴とする請求項５または請求項６に記載の有機発光ディスプレイ装置。
【請求項８】
前記一体に形成された層は、発光層であることを特徴とする請求項５乃至請求項７のいずれか１項に記載の有機発光ディスプレイ装置。
【請求項９】
複数の画素を備えた有機発光ディスプレイ装置において、
前記各画素は、それぞれ赤色、緑色及び青色の光を放出する副画素を一方向に沿って備え、
前記一方向に垂直な他方向において隣接した少なくとも二つの副画素の少なくとも一部を一体に形成し、
前記少なくとも一部が一体に形成された副画素間の間隔は、相互に分離して形成された副画素間の間隔よりも狭く形成されていることを特徴とする有機発光ディスプレイ装置。
【請求項１０】
前記他方向に隣接した二つ、三つまたは四つの副画素の少なくとも一部が一体に形成されていることを特徴とする請求項９に記載の有機発光ディスプレイ装置。
【請求項１１】
前記一体に形成された副画素の一部は、発光層であることを特徴とする請求項９または請求項１０に記載の有機発光ディスプレイ装置。
【請求項１２】
前記各副画素は、
第１電極と、
前記第１電極に対向する第２電極と、
前記第１電極と前記第２電極との間に介在し、少なくとも発光層を含む複数の層を備えた中間層とを備え、
前記一方向に垂直な他方向に隣接した少なくとも二つの副画素の中間層のうち少なくとも一つの層を一体に形成することを特徴とする請求項９に記載の有機発光ディスプレイ装置。
【請求項１３】
前記一体に形成された層は、同じ色の光を放出する副画素において、前記一方向にジグザグ形状となるように配置されることを特徴とする請求項１２に記載の有機発光ディスプレイ装置。
【発明の詳細な説明】
【技術分野】
【０００１】
本発明は、有機発光ディスプレイ装置に係り、さらに詳細には、開口率を向上させて高解像度製品の量産が可能な有機発光ディスプレイ装置に関する。
【背景技術】
【０００２】
ディスプレイ装置のうち、有機発光ディスプレイ装置は、視野角が広くてコントラストに優れているだけでなく、応答速度が速いという長所があるので、次世代ディスプレイ装置として注目されている。
【０００３】
一般的に、有機発光ディスプレイ装置は、アノードとカソードから注入される正孔と電子とが発光層で再結合して発光するという原理で色相を具現しており、アノードとカソードの間に単純に発光層を挿入した積層型構造を有している。しかし、このような構造では、高効率の発光が得難いため、それぞれの電極と発光層との間に電子注入層、電子輸送層、正孔輸送層及び正孔注入層のような中間層を選択的に追加挿入して使用している。
【０００４】
しかし、発光層及びこれを含む中間層のような有機薄膜の微細パターンを形成することが実質的に非常に難しく、前記層によって赤色、緑色及び青色の発光効率が変わってしまうので、従来の有機発光ディスプレイ装置では、満足できるレベルの駆動電圧、電流密度、輝度、色純度、発光効率及び寿命を達成できなかった。そのため、改善することが至急に求められている。
【０００５】
一方、有機発光ディスプレイ装置は、相互に対向した第１電極と第２電極との間に発光層及びこれを含む中間層を備えている。この時、電極及び中間層は、多様な方法で形成することができるが、そのうちの一つの方法が蒸着である。蒸着方法を利用して有機発光ディスプレイ装置を製作するためには、薄膜パターンと同じパターンを有するマスクを密着し、薄膜の材料を蒸着して所定パターンの薄膜を形成する。
【０００６】
図１Ａは、従来の有機発光ディスプレイ装置の中間層のパターンを概略的に示す平面図であり、図１Ｂは、図１Ａの有機発光ディスプレイ装置の中間層を蒸着するために使われるマスクの構造を概略的に示す平面図である。
【０００７】
図１Ａ及び図１Ｂを参照すれば、従来の有機発光ディスプレイ装置の各画素１１,１２,１３,１４は、赤色、緑色及び青色の光を放出する中間層１１Ｒ,１２Ｒ,１３Ｒ,１４Ｒ,１１Ｇ,１２Ｇ,１３Ｇ,１４Ｇ,１１Ｂ,１２Ｂ,１３Ｂ,１４Ｂを備えている。それぞれ赤色、緑色及び青色の光を放出する三つの副画素が一つの画素を形成している。
【０００８】
前述したように、マスクを利用した蒸着を通じて副画素の中間層を形成する場合には、赤色、緑色及び青色のうちいずれか１色の光を放出する副画素、例えば、赤色の光を放出する副画素の中間層を同時に蒸着して形成し、その後、緑色の光を放出する副画素の中間層を同時に蒸着して形成し、その後、青色の光を放出する副画素の中間層を同時に蒸着して形成する。したがって、図１Ａに示したような有機発光ディスプレイ装置の青色中間層のパターンを形成するためには、図１Ｂに示したような開口部１１Ｂｍ,１２Ｂｍ,１３Ｂｍ,１４Ｂｍを備えたマスク１０Ｂｍを利用しなければならず、図１Ａに示したような有機発光ディスプレイ装置の赤色及び緑色の中間層のパターンを形成するためにも、図１Ｂに示したマスク１０Ｂｍと同じ間隔の開口部を有するマスクを利用しなければならない。
【０００９】
しかし、高画質のディスプレイ装置を製造するためには、副画素間の間隔がさらに狭くなっており、これによって副画素の中間層を蒸着するためのマスクの開口部のサイズもさらに小さくなっている。すなわち、図１Ｂを参照すれば、開口部１１Ｂｍ,１２Ｂｍ,１３Ｂｍ,１４ＢｍのサイズＬ０がさらに小さくなっている。このように、開口部の幅が狭くなるほど発光画素の領域が縮小して開口率が低くなり、素子寿命の側面で非常に深刻な問題点をもたらしており、これが高解像度製品の量産に大きな障壁となっている。
【００１０】
また、高精細化によって、マスクのパターニング及びマスクと中間層が蒸着される部分との間のアラインがさらに難しくなり、若干の誤差によって、隣接した他の色の光を放出する発光層との重畳が発生してしまう問題点があった。
【００１１】
そして、有機発光ディスプレイ装置以外の他のディスプレイ装置においても、各副画素を蒸着で形成するディスプレイ装置の場合には、前述したような問題点があった。
【発明の概要】
【発明が解決しようとする課題】
【００１２】
本発明が解決しようとする課題は、各画素の開口率を向上させることによって、製品寿命及び製品生産性を極大化することのできる有機発光ディスプレイ装置を提供することである。
【課題を解決するための手段】
【００１３】
前記課題を達成するために、本発明は、複数の画素を備え、前記各画素は、第１電極と、前記第１電極に対向する第２電極と、前記第１電極と前記第２電極との間に介在し、少なくとも発光層を含む複数の層を備えた中間層とを備え、前記中間層に含まれる層のうち少なくとも一層は、一方向に隣接した少なくとも二つの画素において、一体に形成されて一つの画素グループを形成し、前記一つの画素グループ内における画素間の間隔は、隣接した前記画素グループ間の間隔よりも狭く形成されていることを特徴とする有機発光ディスプレイ装置を提供する。
【００１４】
本発明において、前記一方向に隣接した二つ、三つまたは四つの画素が一体に形成されて前記一つの画素グループを形成できる。
【００１５】
本発明において、前記一体に形成された層は、前記一方向に垂直な他方向にジグザグ形状となるように配置されうる。
【００１６】
本発明において、前記一体に形成された層は、発光層でありうる。
【００１７】
他の側面に関する本発明は、複数の画素を備え、前記各画素は、それぞれ赤色、緑色及び青色の光を放出する副画素を備え、前記副画素は一方向に沿って同じ色の光を排出するように配置され、前記各副画素は、第１電極と、前記第１電極に対向する第２電極と、前記第１電極と前記第２電極との間に介在し、少なくとも発光層を含む複数の層を備えた中間層とを備え、前記中間層に含まれる層のうち少なくとも一層は、前記一方向に隣接した少なくとも二つの副画素において、一体に形成されて一つの副画素グループを形成し、前記一つの副画素グループ内における副画素間の間隔は、隣接した前記副画素グループ間の間隔よりも狭く形成されていることを特徴とする有機発光ディスプレイ装置を提供する。
【００１８】
本発明において、前記一方向に隣接した二つ、三つまたは四つの副画素が一体に形成されて前記一つの副画素グループを形成できる。
【００１９】
本発明において、前記一体に形成された層は、同じ色の光を放出する副画素において、前記一方向に垂直な他方向にジグザグ形状となるように配置されうる。
【００２０】
本発明において、前記一体に形成された層は、発光層でありうる。
【００２１】
さらに他の側面に関する本発明は、複数の画素を備えた有機発光ディスプレイ装置において、前記各画素は、それぞれ赤色、緑色及び青色の光を放出する副画素を一方向に沿って備え、前記一方向に垂直な他方向において隣接した少なくとも二つの副画素の少なくとも一部を一体に形成し、前記少なくとも一部が一体に形成された副画素間の間隔は、相互に分離して形成された副画素間の間隔よりも狭く形成されていることを特徴とする有機発光ディスプレイ装置を提供する。
【００２２】
本発明において、前記他方向に隣接した二つ、三つまたは四つの副画素の少なくとも一部が一体に形成されうる。
【００２３】
本発明において、前記一体に形成された副画素の一部は、発光層でありうる。
【００２４】
本発明において、前記各副画素は、第１電極と、前記第１電極に対向する第２電極と、前記第１電極と前記第２電極との間に介在し、少なくとも発光層を含む複数の層を備えた中間層とを備え、前記一方向に垂直な他方向に隣接した少なくとも二つの副画素の中間層のうち少なくとも一つの層を一体に形成する。
【００２５】
ここで、前記一体に形成された層は、同じ色の光を放出する副画素において、前記一方向にジグザグ形状となるように配置されうる。
【発明の効果】
【００２６】
本発明のディスプレイ装置によれば、各画素の開口率を向上させることによって、製品寿命及び製品生産性を極大化させることができる。
【図面の簡単な説明】
【００２７】
【図１Ａ】従来の有機発光ディスプレイ装置の発光層及び中間層のパターンを概略的に示す平面図である。
【図１Ｂ】図１Ａの有機発光ディスプレイ装置の青色発光層を蒸着するために使われるマスクの構造を概略的に示す平面図である。
【図２】本発明の一実施形態に係る有機発光ディスプレイ装置の中間層を蒸着するために使われるマスクの構造を概略的に示す平面図である。
【図３】本発明の一実施形態に係る有機発光ディスプレイ装置の画素の構成を概略的に示す平面図である。
【図４】図３のＩＶ−ＩＶ線によって切断された断面の断面図である。
【図５】本発明の第２実施形態に係る有機発光ディスプレイ装置の画素の構成を概略的に示す平面図である。
【図６】本発明の第３実施形態に係る有機発光ディスプレイ装置の画素の構成を概略的に示す平面図である。
【発明を実施するための形態】
【００２８】
以下、添付した図面を参照して、本発明をさらに詳細に説明する。
【００２９】
図２は、本発明の望ましい一実施形態に係る有機発光ディスプレイ装置の製造に使用される蒸着用マスク１１０の構造を概略的に示す平面図であり、図３は、前記マスクを使用して製造した有機発光ディスプレイ装置１００の画素の構成を概略的に示す平面図である。
【００３０】
前記図面を参照すれば、まず、開口部１１１Ｒｍ，１２１Ｒｍ，１３１Ｒｍ，１４１Ｒｍ，…がジグザグ形状に配置されているマスク１１０を使用して有機発光ディスプレイ装置の中間層を蒸着する。これをさらに詳細に説明すれば、本発明の一実施形態に係る有機発光ディスプレイ装置１００は、複数の画素１１１,１２１を備えており、各画素１１１,１２１は、それぞれ赤色１１１Ｒ,１２１Ｒ、緑色１１１Ｇ,１２１Ｇ及び青色１１１Ｂ,１２１Ｂの光を放出する副画素を備えている。この時、副画素は、一方向、例えば、図３のｙ方向に沿って同じ色の光を放出するように配値されており、各副画素は、相互対向した第１電極及び第２電極と、第１電極と第２電極との間に介在し、少なくとも発光層を含む複数の層を備えた中間層とを備えている。
【００３１】
この時、本発明は中間層の形状が従来の有機発光ディスプレイ装置と異なっている。すなわち、中間層に含まれる層のうち少なくとも一層は、ｙ方向に隣接した二つの副画素が一体に形成され、一つの画素グループ１１１２Ｒ,１１３４Ｒ,１１５６Ｒ,１２２３Ｂ,１２４５Ｂを形成する。言い換えれば、一副画素１１１Ｒ及びこれに隣接した副画素１１２Ｒの中間層のうち少なくとも一層が一体に形成され、一つの画素グループ１１１２Ｒを形成する。また、一副画素１１３Ｒ及びこれに隣接した副画素１１４Ｒの中間層のうち少なくとも一層が一体に形成され、一つの画素グループ１１３４Ｒを形成する。
【００３２】
ここで、本発明の望ましい一実施形態に係る有機発光ディスプレイ装置は、一つの画素グループ内の副画素間の間隔が、隣接したグループ間の間隔よりも狭く形成されていることを特徴とする。例えば、一つの画素グループ１１３４Ｒ内の副画素１１３Ｒと１１４Ｒとの間の間隔ｄ２は、隣接したグループ１１１２Ｒと１１３４Ｒとの間の間隔ｄ１よりも狭く形成されていることを特徴としている。
【００３３】
このように、複数の副画素をグルーピングして、同一グループ内では、副画素間の間隔を最小化し、グループ間の間隔のみを広くすることによって、ドットタイプマスクを適用することによる開口率の低下を最小化する効果が得られる。
【００３４】
そして、一体に形成された層は、同じ色の光を放出する副画素において、他方向、すなわち、図３のｘ方向にジグザグ形状となるように配置されている。前記中間層には、前述したように、多様な層が含まれているので、中間層には、少なくとも発光層を含んでいる。したがって、一体に形成された層１１１２ＲＬ,１１１２ＧＬ,１１１２ＢＬは、発光層でありうる。
【００３５】
このように、各グループの配置をジグザグ形状に形成することによって、画質面における均一性が向上する効果が得られる。
【００３６】
また、有機発光ディスプレイ装置１００に備えられた中間層が前記のような構造を有することによって、中間層を蒸着するために使われるマスクの開口部も、図２のようなジグザグ形状に配置され、したがって、従来のドット型開口部を備えた場合よりもマスクを容易に製造できる。そして、開口部をジグザグ型に配置したことによって、引張力によるマスクの開口部の形状及び位置の変化を、既存のストライプ型の開口部を備えた場合よりも小さくすることができ、その結果有機発光ディスプレイ装置の製造において収益率の向上を図ることができる。
【００３７】
すなわち、図２に示したようなマスク１１０を使用する場合、マスク１１０に形成された各開口部１１１Ｒｍ,１２１Ｒｍ,１３１Ｒｍ,１４１Ｒｍの長さＬ１は、従来のマスク１０Ｂｍに形成された各開口部１１Ｂｍ,１２Ｂｍの長さＬ０の約２倍となる(図１を参照)。したがって、マスクの製造及びアラインの困難さを減少させることができ、これによって高画質、高精細のディスプレイ装置の製造において、収益率の低下を防止して生産コストを低減できる。
【００３８】
図４は、図３のＩＶ−ＩＶ線で切断した断面の断面図である。
【００３９】
図４を参照すれば、本実施形態に係る有機発光ディスプレイ装置１００は、基板２０１を備え、基板２０１上にはバッファ層２１１が形成されている。バッファ層２１１の一面上には、薄膜トランジスタ２２０が形成され、この薄膜トランジスタ２２０の上部には、有機発光素子２３０が形成されている。
【００４０】
薄膜トランジスタ２２０は、ゲート電極２２１、ソース電極及びドレイン電極２２３、半導体層２２７、ゲート絶縁膜２１３及び層間絶縁膜２１５を備えている。そして、ソース電極及びドレイン電極２２３の上部には、平坦化膜(または保護膜)２１７が形成され、下部の薄膜トランジスタ２２０を保護して平坦化する。この平坦化膜２１７上に有機発光素子２３０が形成されている。有機発光素子２３０は、薄膜トランジスタ２２０に電気的に連結された画素電極２３１と、基板２０１の全面にわたって配置された対向電極２３５と、画素電極２３１と対向電極２３５との間に配置され、少なくとも発光層を含む中間層２３３とを備えている。一方、画素定義膜(ＰＤＬ：Ｐｉｘｅｌ Ｄｅｆｉｎｉｎｇ Ｌａｙｅｒ)２１９は、画素電極２３１のエッジを覆うように形成され、画素電極２３１の外側に所定の厚さを有するように形成されて、発光領域を定義する役割を行っている。
【００４１】
ここで、本発明の一実施形態に係る有機発光ディスプレイ装置では、中間層２３３に含まれる層のうち少なくとも一層が一方向に隣接した少なくとも二つの副画素において、一体に形成されて、一つの画素グループを形成することを特徴としている。図４を参照すれば、相互隣接している二つの副画素１２２Ｂと１２３Ｂとが一つの画素グループ１２２３Ｂを形成し、二つの副画素１２２Ｂと１２３Ｂの中間層２３３は一体に形成されている。また、相互隣接している二つの副画素１２４Ｂと１２５Ｂとが一つの画素グループ１２４５Ｂを形成し、二つの副画素１２４Ｂと１２５Ｂの中間層２３３は一体に形成されている。
【００４２】
そして、図面に示していないが、薄膜トランジスタ２２０には、少なくとも一つのキャパシタが連結されている。そして、このような薄膜トランジスタを備えた回路は、必ずしも図４に示した例に限定されるものではなく、多様に変形できる。
【００４３】
前記のような構造の有機発光素子を備えた有機発光ディスプレイ装置において、ディスプレイ装置の中間層に含まれる層が、前述した実施形態と同じ構造を有することによって、各画素の中間層の蒸着を容易にするとともに、パターンの精密度を向上させた高画質の有機発光ディスプレイ装置を製造できる。
【００４４】
また、前記実施形態において、有機発光ディスプレイ装置の構造を基にして本発明を説明したが、各画素を蒸着して形成するディスプレイ装置であれば、いかなるディスプレイ装置にも本発明を適用することができる。これは、後述する実施形態においても、同様である。
【００４５】
図５は、本発明の第２実施形態に係る有機発光ディスプレイ装置３００の画素の構成を概略的に示す平面図である。本実施形態では、一つの画素グループを形成する副画素の数が三つになるという点で、前述した実施形態と区別される。
【００４６】
図５を参照すれば、複数の画素３１１,３２１を備えており、各画素３１１,３２１は、それぞれ赤色３１１Ｒ,３２１Ｒ、緑色３１１Ｇ,３２１Ｇ及び青色３１１Ｂ,３２１Ｂの光を放出する副画素を備えている。この時、副画素は、一方向、例えば、図５のｙ方向に沿って同じ色の光を放出するように配置されており、各副画素は、相互対向した第１電極及び第２電極と、第１電極と第２電極との間に介在し、少なくとも発光層を含む複数の層を備えた中間層とを備えている。
【００４７】
この時、中間層に含まれる層のうち少なくとも一層は、ｙ方向に隣接した三つの副画素において、一体に形成されて、一つの画素グループ３１１２３Ｒ,３１４５６Ｒ,３１７８９Ｒを形成する。
【００４８】
ここで、本発明の望ましい一実施形態に係る有機発光ディスプレイ装置３００は、一つの画素グループ内の副画素間の間隔を、隣接したグループ間の間隔よりも狭く形成したことを特徴とする。例えば、一つの画素グループ３１１２３Ｒ内の副画素３１１Ｒ,３１２Ｒ,３１３Ｒの間の間隔は、隣接したグループ３１１２３Ｒ,３１４５６Ｒの間の間隔よりも狭く形成されていることを特徴としている。
【００４９】
このように、複数の副画素をグルーピングして、同一グループ内では副画素間の間隔を最小化し、グループ間の間隔のみを広くすることによって、ドットタイプマスクを適用することによる開口率の低下を最小化する効果が得られる。
【００５０】
図６は、本発明の第３実施形態に係る有機発光ディスプレイ装置４００の画素の構成を概略的に示す平面図である。本実施形態では、一つの画素グループを形成する副画素の数を四つにしたという点で、前述した実施形態と区別される。
【００５１】
図６を参照すれば、複数の画素４１１,４２１を備えており、各画素４１１,４２１は、それぞれ赤色４１１Ｒ,４２１Ｒ、緑色４１１Ｇ,４２１Ｇ及び青色４１１Ｂ,４２１Ｂの光を放出する副画素を備えている。この時、副画素は、一方向、例えば、図６のｙ方向に沿って同じ色の光を放出するように配置されており、各副画素は、相互対向した第１電極及び第２電極と、前記第１電極と前記第２電極との間に介在し、少なくとも発光層を含む複数の層を備えた中間層とを備えている。
【００５２】
この時、中間層に含まれる層のうち少なくとも一層は、ｙ方向に隣接した四つの副画素において、一体に形成されて一つの画素グループ４１１２３４Ｒ,４１５６７８Ｒを形成する。
【００５３】
ここで、本発明の望ましい一実施形態に係る有機発光ディスプレイ装置は、一つの画素グループ内の副画素間の間隔を、隣接したグループ間の間隔よりも狭く形成することを特徴としている。例えば、一つの画素グループ４１１２３４Ｒ内の副画素４１１Ｒ,４１２Ｒ,４１３Ｒ,４１４Ｒの間の間隔は、隣接したグループ４１１２３４Ｒ,４１５６７８Ｒの間の間隔よりも狭く形成することを特徴としている。
【００５４】
このように、複数の副画素をグルーピングし、同一グループ内では、副画素間の間隔を最小化し、グループ間の間隔のみを広くすることによって、ドットタイプマスクを適用することによる開口率の低下を最小化する効果が得られる。
【００５５】
本発明は、図面に示した実施形態を参照して説明したが、これは、例示的なものに過ぎず、当業者であれば、これらから多様な変形及び均等な他の実施形態が可能であることが分かるであろう。したがって、本発明の真の技術的保護範囲は、特許請求の範囲の技術的思想によって決定されなければならない。
【産業上の利用可能性】
【００５６】
本発明は、ディスプレイ関連の技術分野に好適に適用可能である。
【符号の説明】
【００５７】
１００    有機発光ディスプレイ装置
１１１,１２１    画素
１１１Ｒ,１１２Ｒ,１１３Ｒ,１１４Ｒ,１１５Ｒ,１１６Ｒ,１２１Ｒ    赤色画素の
副画素
１１１Ｇ,１２１Ｇ    緑色画素の副画素
１１１Ｂ,１２１Ｂ,１２２Ｂ,１２３Ｂ,１２４Ｂ,１２５Ｂ    青色画素の副画素
１１１２Ｒ,１１３４Ｒ,１１５６Ｒ,１２２３Ｂ,１２４５Ｂ 画素グループ
１１１２ＲＬ,１１１２ＧＬ,１１１２ＢＬ    発光層
ｄ１,ｄ２    間隔
２００    ディスプレイ部
２０１    基板
２１１    バッファ層
２１３    ゲート絶縁膜
２１５    層間絶縁膜
２１７    平坦化膜
２１９    画素定義膜
２２０    薄膜トランジスタ
２２１    ゲート電極
２２３    ソース電極及びドレイン電極
２２７    半導体層
２３０    有機発光素子
２３１    画素電極
２３３    中間層
２３５    対向電極
【図１Ａ】
2010262920.tif 000003
【図１Ｂ】
2010262920.tif 000004
【図２】
2010262920.tif 000005
【図３】
2010262920.tif 000006
【図４】
2010262920.tif 000007
【図５】
2010262920.tif 000008
【図６】
2010262920.tif 000009